(57)【要約】【課題】  ゴーストやフレアの発生をより低減できるレンズホルダ及びレンズ付きフイルムユニットを提供する。  【解決手段】  レンズホルダ本体２３には、撮影レンズ４の光軸方向に沿って、被写体側から像面側に向かって、樹脂レンズ４ａ、第１間隔環２５、樹脂レンズ４ｂ、第２間隔環２６、樹脂レンズ４ｃが順番に保持されている。第２間隔環２６の内周壁面２６ａには、周方向に沿って、環状（ワッシャ形状）のフレアストッパ２９が一体に形成されている。フレアストッパ２９は、円形開口２９ａの端面２９ｂが樹脂レンズ４ｃの凹面２４に向かって突出するように形成されており、凹面２４の周縁部２４ａはフレアストッパ２９によって覆われる。光３０ａはフレアストッパ２９で遮られ、光３０ｂのみが樹脂レンズ４ｃに入射する。【選択図】        図４
2006085013.tif 000002
【特許請求の範囲】
【請求項１】
凹レンズを保持するレンズ保持部と、
前記凹レンズの凹面に入射される光束を制限してフレアの発生を抑えるフレアストッパと、を備えたレンズホルダにおいて、
前記フレアストッパの少なくとも一部が、前記凹面の周縁部を覆うように前記凹面に向かって突出して形成されていることを特徴とするレンズホルダ。
【請求項２】
前記フレアストッパは、前記レンズ保持部に一体に形成されていることを特徴とする請求項１記載のレンズホルダ。
【請求項３】
前記凹レンズを含む複数のレンズが前記レンズ保持部によって保持される場合、レンズ間を一定に保持する間隔保持部材を設け、前記フレアストッパは、前記間隔保持部材に一体に形成されていることを特徴とする請求項１記載のレンズホルダ。
【請求項４】
請求項１〜３のいずれか１つに記載のレンズホルダを備えたことを特徴とするレンズ付きフイルムユニット。
【発明の詳細な説明】
【技術分野】
【０００１】
本発明は、光学機器に内蔵して用いられるレンズホルダと、そのレンズホルダが組み込まれたレンズ付きフイルムユニットに関するものである。
【背景技術】
【０００２】
予め写真フイルムが装填された１回使用型の簡易型カメラとして、レンズ付きフイルムユニットが知られている。レンズ付きフイルムユニットには撮像レンズを保持するレンズ鏡筒が組み込まれているが、このレンズ鏡筒内には、撮影に不要な光が撮影レンズの端面やレンズ鏡筒の内壁面などで反射して引き起こされるフレアを防止するためのフレアストッパが設けられている。
【０００３】
フレアストッパとしては、例えば特許文献１、２に記載されたものが知られている。フレアストッパは、例えば厚み０．０３ｍｍ程度の薄いポリエステルフイルム（「マイラー」（商品名）と呼ばれる）から形成されたワッシャのような環状をしており、撮影レンズに入射した光束を中心部の円形開口に通すことによりフレアの発生を抑える。
【特許文献１】特開２００２−２５０９５６号
【特許文献２】特開平０６−３００９５０号
【発明の開示】
【発明が解決しようとする課題】
【０００４】
しかしながら、撮像レンズが凹レンズを含めた複数枚のレンズから構成され、前記円形開口が凹レンズよりも被写体側で凹レンズの凹面に対向するようにフレアストッパを配置した場合、前記円形開口の縁と前記凹面との間に隙間が生じ、その隙間から凹レンズの外周面に向かって光が凹レンズに入射し、この光が凹レンズの外周面で反射して、その反射光によりゴーストやフレアを発生させてしまうといった問題が発生する。
【０００５】
本発明は、上記課題を解決するためになされたものであり、撮像レンズとして凹レンズが用いられている場合のゴーストやフレアの発生をより低減できるレンズホルダ及びレンズ付きフイルムユニットを提供することを目的とするものである。
【課題を解決するための手段】
【０００６】
上記目的を達成するために、本発明のレンズホルダは、凹レンズを保持するレンズ保持部と、前記凹レンズの凹面に入射される光束を制限してフレアの発生を抑えるフレアストッパと、を備えたものであり、前記フレアストッパの少なくとも一部が、前記凹面の周縁部を覆うように前記凹面に向かって突出して形成されていることを特徴とする。
【０００７】
また、前記フレアストッパは、前記レンズ保持部に一体に形成されていることが好ましい。
【０００８】
また、前記凹レンズを含む複数のレンズが前記レンズ保持部によって保持される場合、レンズ間を一定に保持する間隔保持部材を設け、前記フレアストッパは、前記間隔保持部材に一体に形成されていることが好ましい。
【０００９】
本発明のレンズ付きフイルムユニットは、本発明のレンズホルダを備えたことを特徴とする。
【発明の効果】
【００１０】
本発明のレンズホルダは、フレアストッパの少なくとも一部が、凹レンズの凹面の周縁部を覆うように凹面に向かって突出して形成されているので、撮影に必要な光だけを凹レンズに入射させ、ゴーストやフレアを引き起こす原因となる光をフレアストッパで確実に遮光し、凹レンズに入射させないようにすることができる。つまり、凹レンズの外周面に向かう光をフレアストッパで遮って凹レンズに入射させないようにすることができ、これにより凹レンズの外周面で反射する光によって引き起こされるゴーストやフレアを抑えることができる。また、フレアストッパで凹レンズの外周面に向かう光を遮ることにより、凹レンズに入射させた撮影に必要な光を凹レンズの外周面に到達させない範囲内で、フレアストッパの凹面に向かって突出している部分の先端と凹レンズの外周面との間の距離を縮めることができ、これによりレンズ及びレンズホルダの小型化を図ることができる。
【００１１】
また、フレアストッパが、レンズ保持部又は間隔保持部材に一体に形成されているので、凹レンズをレンズ保持部又は間隔保持部材にセットすると同時にフレアストッパの位置決めを容易且つ正確に行うことができる。また、部品点数を削減できると共に組立工数も削減できる。
【００１２】
本発明のレンズ付きフイルムユニットは、本発明のレンズホルダを備えたので、写真フイルムへの安定した露光行うことができ、撮影品質を向上させることができる。
【発明を実施するための最良の形態】
【００１３】
以下、本発明の実施形態について図面を参照しながら説明する。図１に示すように、レンズつきフイルムユニット２は、前面に撮影レンズ４、ファインダー対物窓５などが、また、上面にシャッタボタン６や枚数表示窓７が、さらに、背面側には巻き上げノブ８がそれぞれ露呈して設けられている。
【００１４】
図２及び図３に示すように、レンズ付きフイルムユニット２は、ユニット本体１１、前カバー１２、後カバー１３から構成されている。ユニット本体１１は、本体基部１４と露光ユニット１５とから構成されており、本体基部１４にはパトローネ１６を収納するパトローネ収納室１７と、このパトローネ１６から引き出され、ロール状に巻かれた写真フイルム１８を収納するフイルム収納室１９と、写真フイルム１８への露光範囲を決定するアパーチャ２０とが形成されている。露光ユニット１５は、ユニット本体１１のほぼ中央に形成されており、露光ユニット１５には、シャッタ機構、フイルム巻き止め機構、残り撮影可能コマ数を表示するためのカウンタ機構などが組み込まれている。
【００１５】
ユニット本体１１の前面には前カバー１２が被せられている。後カバー１３はユニット本体１１の背後に設けられ、前カバー１２とともにユニット本体１１の内部を光密に覆っている。後カバー１３には底蓋としてパトローネ蓋、フイルム蓋が一体に形成され、パトローネ及び写真フイルム１８の底部を光密に覆っている。
【００１６】
パトローネ収納室１７の上部には巻き上げノブ８が取り付けられ、巻き上げノブ８を回転させることにより写真フイルム１８が給送される。写真フイルム１８は、ユニット本体１１の背面と後カバー１３の前面との間に設けられたフイルム通路を通ってフイルム収納室１９からパトローネ収納室１７に向けて巻き上げられる。なお、巻き上げノブ８は、弾性自在な逆止爪の係合によりフイルム巻き上げ方向とは逆の回転が阻止される。
【００１７】
図４に示すように、撮影レンズ４は３枚の樹脂レンズ４ａ、４ｂ、４ｃからなり、露光ユニット１５の前面に設けられたレンズホルダ２１内に保持されている。レンズホルダ２１は、アパーチャ２０の前面側を覆う略板形状のベースプレート部２２と、そのベースプレート部２２のほぼ中央に配置され、開放絞りとなる開口２２ａと、その開口２２ａの前方である被写体側に一体に形成された略円筒形状に形成されたレンズホルダ本体（レンズ保持部）２３とから構成されている。
【００１８】
樹脂レンズ４ａには、被写体側が凸面、像面側が凹面となるレンズが用いられ、樹脂レンズ４ｂには、被写体側、像面側がともに凸面となるレンズが用いられ、樹脂レンズ４ｃには、被写体側に凹面２４が形成されている凹レンズが用いられている。このように様々な種類のレンズを組み合わせて撮像レンズ４を構成することにより、撮像レンズ４としてレンズを単体で用いるよりも収差を小さくすることができる。
【００１９】
レンズホルダ２１には円環状に形成された第１、第２間隔環２５、２６が設けられている。第１、第２間隔環２５、２６は、樹脂レンズと樹脂レンズとの間隔を一定に保つための間隔保持部材であり、第１間隔環２５は、樹脂レンズ４ａと樹脂レンズ４ｂとの間に配置され、樹脂レンズ４ａと樹脂レンズ４ｂとの間隔を一定に保持し、第２間隔環２６は、樹脂レンズ４ｂと樹脂レンズ４ｃとの間に配置され、樹脂レンズ４ｂと樹脂レンズ４ｃとの間隔を一定に保持する。レンズホルダ本体２３には、撮影レンズ４の光軸方向に沿って、被写体側から像面側に向かって、樹脂レンズ４ａ、第１間隔環２５、樹脂レンズ４ｂ、第２間隔環２６、樹脂レンズ４ｃが順番に保持されている。また、樹脂レンズ４ａと樹脂レンズ４ｂとの間にはシャッタ２７が設けられており、このシャッタ２７はシャッタボタン６を押し下げると開閉するように構成されている。
【００２０】
レンズホルダ本体２３の被写体側にはレンズ押さえプレート２８が被せられている。レンズ押さえプレート２８には撮影レンズ４を被写体側に露呈させるための開口２８ａが形成されており、この開口２８ａの周縁部は前カバー１２に形成されたレンズ開口１２ａに嵌まり込む。レンズ押さえプレート２８には、撮影レンズ４の光軸方向に沿って、開口２８ａの縁から像面側に向けて突出した円環状のリブ２８ｂが設けられている。このリブ２８ｂは、樹脂レンズ４ａの周縁部の被写体側の面に向かい合うように配置され、樹脂レンズ４ａの周縁部を被写体側から押さえ付けている。
【００２１】
レンズ押さえプレート２８には孔２８ｃが形成されており、レンズ押さえプレート２８はレンズホルダ本体２３に形成された爪２３ｂと孔２８ｃとの係合によって固定される。これにより、撮影レンズ４は第１、第２間隔環２５、２６とともに、レンズ押さえプレート２８とベースプレート部２２との間に挟み込まれて保持される。すなわち、樹脂レンズ４ａは、レンズ押さえプレート２８のリブ２８ｂと第１間隔環２５とで挟持され、樹脂レンズ４ｂは第１間隔環２５と第２間隔環２６とで挟持され、樹脂レンズ４ｃは第２間隔環２６とベースプレート部２２とで挟持された状態になる。なお、レンズホルダ２１、第１、第２間隔環２５、２６、レンズ押さえプレート２８は、遮光性を有する樹脂により作製され、撮影レンズ４の撮影光路を覆っている。
【００２２】
第２間隔環２６の内周壁面２６ａには、周方向に沿って、環状（ワッシャ形状）のフレアストッパ２９が一体に形成されている。このフレアストッパ２９は、樹脂レンズ４ｃの凹面２４に入射される光束３０を制限してフレアの発生を抑える遮光壁である。フレアストッパ２９の中心部には円形開口２９ａが形成されている。フレアストッパ２９は、樹脂レンズ４ｂを通った光束３０が樹脂レンズ４ｃの凹面２４に入射した後に樹脂レンズ４ｃの外周面３１及び開口２２ａの内周壁面３２に到達しないように、円形開口２９ａの端面２９ｂが樹脂レンズ４ｃの凹面２４に向けて突出して形成されており、凹面２４の周縁部２４ａはフレアストッパ２９によって覆われる。
【００２３】
フレアストッパ２９は、第２間隔環２６と一体成形され、例えば厚み０．０３〜０．０５ｍｍ程度の遮光性を有する樹脂により作製されている。フレアストッパ２９は、単独にレンズ間に挟むのではなく、第２間隔環２６に一体に形成された状態でレンズホルダ２１に組み込むので、フレアストッパ２９の位置が光軸に対してずれることなく、高精度に組み込むことができる。
【００２４】
このように構成されたレンズ付きフイルムユニット２を被写体に向けてシャッタボタン６を押し下げると、シャッタ２７が開閉して光束３０が撮影レンズ４に入射する。光束３０は、樹脂レンズ４ａ、４ｂを通った後に、樹脂レンズ４ｂの外周面３１及び開口２２ａの内周壁面３２に向かう光３０ａと、樹脂レンズ４ａ、４ｂ、円形開口２９ａを通った後に、樹脂レンズ４ｃに入射して外周面３１や内周壁面３２で反射することなく開口２２ａを通過する撮影に必要な光３０ｂとからなる。円形開口２９ａの端面２９ｂが樹脂レンズ４ｃの凹面２４に向かって突出して凹面２４の周縁部２４ａを覆っているので、光３０ａをフレアストッパ２９で遮り、樹脂レンズ４ｃには光３０ｂだけを入射させることができる。
【００２５】
これにより、光３０ａが樹脂レンズ４ｃの外周面３１や開口２２ａの内周壁面３２に反射することによって引き起こされるフレアやゴーストを低減することができる。円形開口２９ａを通過した光３０ｂは、樹脂レンズ４ｃを通って、写真フイルム１８に到達し、露光が行われる。また、凹面２４に向かって突出しているフレアストッパ２９により、樹脂レンズ４ｃの外周面３１が円形開口２９ａを通過した光３０ｂに当たらない範囲（外周面３１から内周壁面３２までの距離α）内で樹脂レンズ４ｃを小型化することができ、これに伴ってレンズホルダ２１も小型化することができる。
【００２６】
上記実施形態では、第２間隔環２６にフレアストッパ２９を一体に形成したが、これに限ることなく、レンズホルダ本体２３にフレアストッパ２９を一体に形成しても良い。この場合、レンズホルダ本体２３に、第２間隔環２６又は第２間隔環２６と同様の機能を有するスペーサなどを一体に形成し、レンズホルダ本体２３に一体に形成された第２間隔環２６又はスペーサにフレアストッパ２９を一体に形成することが好ましい。
【００２７】
上記実施形態では、第２間隔環２６にフレアストッパ２９を一体に形成したが、第２間隔環２６とフレアストッパ２９とを別個に成形し、成形後、これらを組み合わせるようにしても良い。この場合、フレアストッパ２９を、例えば厚み０．０３〜０．０５ｍｍ程度の黒色のポリエステルフイルムを環状にプレス加工で打ち抜いて作製する。第２間隔環２６に溝を形成し、その溝にフレアストッパ２９を嵌入させれば良い。
【００２８】
なお、フレアストッパ２９の厚みを０．０３〜０．０５ｍｍ程度としたが、本発明がこれらの数値に限定されないことは勿論である。また、撮影レンズ４のレンズ構成も上記実施形態に限定されないのは勿論である。
【００２９】
また、上記実施形態では、レンズ付きフイルムユニット２を例に挙げて説明したが、本発明のレンズホルダはこれに限ることなく、例えば、カメラ機能付き携帯電話やデジタルカメラなどの各種光学機器に適用することができ、特に小型レンズを用いる光学機器に適用すると有効である。
【図面の簡単な説明】
【００３０】
【図１】本発明を実施したレンズ付きフイルムユニットの外観斜視図である。
【図２】図１に示すレンズ付きフイルムユニットの後カバーを取り外した状態を示す背面側分解斜視図である。
【図３】ユニット本体の斜視図である。
【図４】レンズ押さえプレート２８、撮影レンズ、レンズホルダ、及びその周辺の構成を示す断面図である。
【符号の説明】
【００３１】
２    レンズ付きフイルムユニット
４    撮影レンズ
４ｃ    樹脂レンズ（凹レンズ）
２１    レンズホルダ
２３    レンズホルダ本体（レンズ保持部）
２４    凹面
２６    第２間隔環（間隔保持部材）
２９    フレアストッパ
【図１】
2006085013.tif 000003
【図２】
2006085013.tif 000004
【図３】
2006085013.tif 000005
【図４】
2006085013.tif 000006